Podtech/llm-jp-corpus-v4-ja_patent huggingface dataset:
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
誘導電力移送（ＩＰＴ）フィールドを生成するよう構成された少なくともひとつの電力送信コイルと、
生成された場合の前記ＩＰＴフィールドによって占められるスペース内のまたはそのスペースに隣接した物体を検出するよう構成された物体検出システムと、を備え、
前記物体検出システムは、受信体に関連付けられた識別要素に基づいて該受信体を検出するよう構成される誘導電力送信器。
【請求項２】
前記物体検出システムが受信体を検出すると前記コイルにエネルギを与えるよう構成される請求項１に記載の送信器。
【請求項３】
前記識別要素は磁石である請求項１に記載の送信器。
【請求項４】
前記磁石は前記受信体の受信コイルに対して配置された永久磁石である請求項３に記載の送信器。
【請求項５】
前記磁石はＤＣ電圧によりエネルギを与えられた前記受信体の受信コイルである請求項３に記載の送信器。
【請求項６】
前記物体検出システムはひとつ以上の磁性スイッチを含む請求項３に記載の送信器。
【請求項７】
前記ひとつ以上の磁性スイッチのうちの少なくともひとつは、ホール効果スイッチ、リード（Reed）スイッチまたは三次元ホール効果センサである請求項６に記載の送信器。
【請求項８】
前記識別要素は符号化された反射性表面を有し、前記物体検出器は反射光パターンを測定するよう構成された光検出器を含む請求項１に記載の送信器。
【請求項９】
複数の電力送信コイルを備え、
前記物体検出システムの少なくともひとつの物体検出器は各電力送信コイルの周りに配置され、
前記送信器は、前記受信体に関連付けられた前記識別要素との相互作用を通じた前記対応する物体検出器の活性化に基づいて、前記対応するコイルにエネルギを与えるよう構成される請求項１に記載の送信器。
【請求項１０】
複数の物体検出器は対応する電力送信コイルの間に設けられ、
前記送信器は、前記受信体に関連付けられた前記識別要素との相互作用を通じた前記対応する検出器の活性化に基づいて、前記コイルのうちのひとつ以上にエネルギを与えるよう構成される請求項９に記載の送信器。
【請求項１１】
あるコイルに対応する全ての前記物体検出器は並列に接続される請求項１０に記載の送信器。
【請求項１２】
前記送信器のコントローラの制御の下、受信体がそれに関連付けられた前記物体検出器によって検出されない限り、前記電力送信コイルにエネルギが与えられることはない請求項９に記載の送信器。
【請求項１３】
前記物体検出システムが受信体を検出し、通信が前記コイルのエネルギ簒奪に成功しない場合、前記受信器と通信するよう構成される請求項１に記載の送信器。
【請求項１４】
前記物体検出システムはさらに、さらなるＯＤ検出戦略に基づいて非受信体を区別するよう構成される請求項１に記載の送信器。
【請求項１５】
前記さらなるＯＤ検出戦略は、回路パラメータと、複数の所定の非受信体のそれぞれについての所定のプロファイルと、の間の相関のレベルを決定することを含む請求項１４に記載の送信器。
【請求項１６】
前記さらなるＯＤ検出戦略は、受信体と同時に、前記スペース内のまたは前記スペースに隣接した非受信体を検出するよう構成される請求項１５に記載の送信器。
【請求項１７】
前記さらなる検出戦略は、物体の検出に対する前記物体検出システムの応答が参照応答と、しきい値よりも小さい相関を有するか否かを決定することを含む請求項１５に記載の送信器。
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
（ａ）ＲＰ２又はその機能的断片をコードするヌクレオチド配列、及び（ｂ）ＡＡＶ２逆位末端反復配列（ＩＴＲ）又はその機能的断片を含む核酸を含む、アデノ随伴ウイルス（ＡＡＶ）ベクター。
【請求項２】
ＲＰ２をコードするヌクレオチド配列が、ロドプシン・キナーゼ・プロモーターの転写調節下にある、請求項１に記載のベクター。
【請求項３】
ヒトβグロビン・ポリアデニル化シグナル又はその機能的断片をさらに含む、請求項１又は２に記載のベクター。
【請求項４】
サイトメガロウイルス（ＣＭＶ）／ヒトβグロビン・イントロンをさらに含む、請求項１〜３のいずれか一項に記載のベクター。
【請求項５】
前記ベクターが自己相補的である、請求項１〜４のいずれか一項に記載のベクター。
【請求項６】
配列番号１４のヌクレオチド配列を含む、請求項１〜５のいずれか一項に記載のベクター。
【請求項７】
ＲＰＧＲ−ＯＲＦ１５又はその機能的断片若しくはその機能的変異体をコードするヌクレオチド配列を含む核酸を含む、ＡＡＶベクターであって、
（ｉ）前記ベクターが、ＣＭＶ／ヒトβグロビン・イントロン及び／又はヒトβグロビン・ポリアデニル化シグナルをさらに含み；及び
（ｉｉ）ＲＰＧＲ−ＯＲＦ１５又はその機能的断片若しくはその機能的変異体をコードするヌクレオチド配列が、任意で、ロドプシン・キナーゼ・プロモーターの転写調節下にある、
ＡＡＶベクター。
【請求項８】
ＡＡＶ２  ＩＴＲ又はその機能的断片をさらに含む、請求項７に記載のベクター。
【請求項９】
配列番号１５又は２６のヌクレオチド配列を含む、請求項７又は８に記載のベクター。
【請求項１０】
前記ベクターがＡＡＶ８又はＡＡＶ９ベクターである、請求項１〜９のいずれか一項に記載のベクター。
【請求項１１】
請求項１〜１０のいずれか一項に記載のベクターを含む、医薬組成物であって、医薬的に許容される担体をさらに含む、医薬組成物。
【請求項１２】
請求項１〜１０のいずれか一項に記載のベクターを含む、その治療又は予防を必要とする哺乳動物における、Ｘ連鎖性網膜色素変性症（ＸＬＲＰ）を治療又は予防するための剤。
【請求項１３】
請求項１〜１０のいずれか一項に記載のベクターを含む、哺乳動物の網膜における光受容器数を増加させるための剤。
【請求項１４】
請求項１〜１０のいずれか一項に記載のベクターを含む、哺乳動物の視力を増加させるための剤。
【請求項１５】
請求項１〜１０のいずれか一項に記載のベクターを含む、哺乳動物における網膜剥離を低減するための剤。
【請求項１６】
請求項１〜１０のいずれか一項に記載のベクターを含む、哺乳動物における光受容器の電気的応答を増加させるための剤。
【請求項１７】
請求項７〜９のいずれか一項に記載のベクターを含む、哺乳動物の網膜におけるＲＰＧＲの発現を増加させるための剤。
【請求項１８】
請求項７〜９のいずれか一項に記載のベクターを含む、哺乳動物の網膜における桿体外節にタンパク質を局在させるための剤であって、前記タンパク質がロドプシン又はＰＤＥ６である、剤。
【請求項１９】
請求項１〜６及び１０のいずれか一項に記載のベクターを含む、哺乳動物の網膜におけるタンパク質の発現を増加させるための剤であって、前記タンパク質がＲＰ２、錐体オプシン又は錐体ＰＤＥ６である、剤。
【請求項２０】
前記ベクターが、ＲＰＧＲ−ＯＲＦ１５又はその機能的変異体をコードするヌクレオチド配列を含み、約５×１０６〜約５×１０１２ベクター・ゲノム（ｖｇ）／眼の投与量で投与される、請求項１２〜１８のいずれか一項に記載の剤。
【請求項２１】
前記ベクターが、ＲＰ２をコードするヌクレオチド配列を含み、約５×１０６〜約５×１０１２ベクター・ゲノム（ｖｇ）／眼の投与量で投与される、請求項１２〜１６及び１９のいずれか一項に記載の剤。
【請求項２２】
前記哺乳動物がヒトである、請求項１２〜２１のいずれか一項に記載の剤。
【請求項２３】
請求項７〜９のいずれか一項に記載のベクターを作製する方法であって、前記方法が、鋳型としてゲノムＤＮＡを用いて、ＲＰＧＲ−ＯＲＦ１５又はその機能的変異体のプリン・リッチ領域を増幅すること、及びＲＰＧＲ−ＯＲＦ１５又はその機能的変異体のエキソン１〜１４をコードするヌクレオチド配列に、プリン・リッチ領域を結合することを含む、方法。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
以下の工程を含む、宿主免疫細胞の存在下での同種免疫細胞の持続性および/または生着を増加させる方法：
（a）同種細胞を準備する工程；
（b）自己抗原および非自己抗原の認識に対する応答に関与するポリペプチドをコードする少なくとも1種の内在性遺伝子を不活化することによって、該同種細胞を改変する工程；ならびに
（c）同種免疫細胞との相互作用を防止する効果を有する少なくとも1種の非内在性免疫抑制ポリペプチドと、宿主免疫細胞を接触させる工程。
【請求項２】
工程（b）におけるポリペプチドが、TCR、MHCクラスI成分、b-2ミクログロブリン（B2M）、TAP1、およびLMP（large multifunctional protease）2の中から選択される、請求項1記載の方法。
【請求項３】
前記少なくとも1種の非内在性免疫抑制ポリペプチドが、PD-L1および／またはCTLA-4免疫グロブリンである、請求項1または2記載の方法。
【請求項４】
工程（c）が、非内在性免疫抑制ポリペプチドであるPD-L1およびCTLA-4免疫グロブリンの両方と宿主免疫細胞を接触させることによって実施される、請求項1〜3のいずれか一項記載の方法。
【請求項５】
工程（c）が、非内在性免疫抑制ポリペプチドであるPD-L1およびCTLA-4免疫グロブリンの両方の同種免疫細胞における発現によって実施される、請求項4記載の方法。
【請求項６】
免疫細胞が初代細胞である、請求項1または請求項2記載の方法。
【請求項７】
工程（c）が、PD-1遺伝子の発現の不活化をさらに含有する、請求項1〜6のいずれか一項記載の方法。
【請求項８】
工程（c）におけるポリペプチドが、PD-L1、CTLA-4、ウイルスMHC相同体、NKG2Dリガンド、ウイルスenv免疫抑制ドメイン（ISU）、またはウイルスFPタンパク質の中から選択される、請求項1または2記載の方法。
【請求項９】
工程（b）がB2Mおよび／またはTCRの不活化によって実施され、工程（c）が同種免疫細胞におけるPD-L1の発現によって実施されるか、
工程（b）がB2Mおよび／またはTCRの不活化によって実施され、工程（c）が同種免疫細胞によるNKG2Gリガンドの発現によって実施されるか、または
工程（b）がB2Mおよび／またはTCRの不活化によって実施され、工程（c）が同種免疫細胞によるウイルスMHC相同体UL18タンパク質の発現によって実施される、
請求項1〜7のいずれか一項記載の方法。
【請求項１０】
工程（b）における遺伝子不活化が、TALヌクレアーゼ、メガヌクレアーゼ、ジンクフィンガーヌクレアーゼ（ZFN）、またはRNA誘導型エンドヌクレアーゼを使用することによって実施される、請求項1〜9のいずれか一項記載の方法。
【請求項１１】
（d）悪性細胞または感染細胞の表面に発現された少なくとも1種の抗原に対するキメラ抗原受容体（CAR）をコードするヌクレオチド配列を含む外来性核酸分子を前記同種免疫細胞へ導入する工程をさらに含む、請求項1〜10のいずれか一項記載の方法。
【請求項１２】
請求項1〜11のいずれか一項記載の方法を使用することによって入手可能な操作されたT細胞、好ましくは、単離された操作されたT細胞。
【請求項１３】
医薬の調製における、請求項12記載の操作されたT細胞の使用。
【請求項１４】
前記医薬が癌またはウイルス感染の処置において使用するためのものである、請求項13記載の使用。
【請求項１５】
前記医薬がリンパ腫または白血病の処置において使用するためのものである、請求項13または14記載の使用。
【請求項１６】
請求項12記載の少なくとも1種の操作されたT細胞を含む組成物。
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
ユーザの身体の第１の位置に近接した前記ユーザの身体に固定可能なハウジング、
前記ハウジング内にある電源、
前記ハウジング内にあり、前記電源と動作するように結合する制御器、及び
前記制御器と動作するように結合され、前記ハウジング上又はハウジング内に位置決められる第１のセンサ
を有するウェアラブル装置において、前記制御器は、
前記第１のセンサから、前記第１のセンサにより検知される前記ユーザの健康パラメタを示す第１のセンサの読み取りを得る、
前記第１の健康パラメタが健康しきい値を満たしていると決定する、
前記決定に応じて、前記ハウジングを前記ユーザの身体の第２の位置に移動させることをユーザに促す、及び
前記第１のセンサ又は第２のセンサから、前記第１の健康パラメタとは異なる第２の健康パラメタを示す第２のセンサの読み取りを得る
ように構成される、ウェアラブル装置。
【請求項２】
前記第１の健康パラメタは心拍である、請求項１に記載のウェアラブル装置。
【請求項３】
前記ハウジングと結合されるバンドをさらに有し、前記バンドは前記ユーザの外肢に固定可能である、請求項１に記載のウェアラブル装置。
【請求項４】
前記第２の健康パラメタは血糖値である、請求項２に記載のウェアラブル装置。
【請求項５】
前記第２の健康パラメタは汗の測定又は呼吸の測定である、請求項２に記載のウェアラブル装置。
【請求項６】
前記第２の健康パラメタは体温である、請求項２に記載のウェアラブル装置。
【請求項７】
前記制御器と動作するように結合される出力装置をさらに有し、前記制御器はさらに、前記出力装置を介して前記ハウジングを前記第２の位置に移動させることを前記ユーザに促すように構成される、請求項１に記載のウェアラブル装置。
【請求項８】
前記制御器と動作するように結合されるワイヤレス通信インタフェースをさらに有する、請求項１に記載のウェアラブル装置。
【請求項９】
前記制御器はさらに、前記ワイヤレス通信インタフェースを介して前記ユーザにより操作される携帯機器に、前記第１のセンサの読み取りを示すデータを送信するように構成される、請求項８に記載のウェアラブル装置。
【請求項１０】
前記制御器はさらに、遠隔計算装置から前記ワイヤレス通信インタフェースを介して、前記第１の健康パラメタが前記健康しきい値を満たしているとの指示を受信するように構成される、請求項８に記載のウェアラブル装置。
【請求項１１】
前記制御器はさらに、前記ワイヤレス通信インタフェースを介して前記ユーザにより操作される携帯機器に、前記第２のセンサの読み取りを示すデータを送信するように構成される、請求項８に記載のウェアラブル装置。
【請求項１２】
前記制御器はさらに、遠隔計算装置から前記ワイヤレス通信インタフェースを介して、前記第２の健康パラメタがもう１つの健康しきい値を満たしているとの指示を受信するように構成される、請求項１１に記載のウェアラブル装置。
【請求項１３】
前記ワイヤレス通信インタフェースは、低電力のBluetooth(登録商標)インタフェースを有する、請求項８に記載のウェアラブル装置。
【請求項１４】
前記健康しきい値は、前記制御器と動作するように結合されるメモリに記憶され、前記制御器はさらに、前記第１の健康パラメタが前記健康しきい値を満たしているかを決定するために、前記第１の健康パラメタを前記健康しきい値と比較するように構成される、請求項１に記載のウェアラブル装置。
【請求項１５】
コンピュータが実施する方法において、
１つ以上の処理器により、ユーザの身体の第１の位置に固定されるウェアラブル装置から直接又は間接的に、前記ウェアラブル装置により検知される前記ユーザの第１の健康パラメタを示す第１のセンサの読み取りを受信するステップ、
前記１つ以上の処理器により、前記第１の健康パラメタを１つ以上の健康しきい値と比較するステップ、
前記健康パラメタが少なくとも１つの健康しきい値を満たしているとの決定に応じて、前記１つ以上の処理器により、前記ウェアラブル装置を前記ユーザの第２の位置に移動させることを前記ユーザに促すステップ、及び
前記１つ以上の処理器により、前記ウェアラブル装置から直接又は間接的に、前記第１の健康パラメタ又は第２の健康パラメタを示す第２のセンサの読み取りを受信するステップ、
を有する方法。
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
シーンの映像を伝送する方法であって、
前記映像から前記シーンの静的バックグラウンドを決定することにより、バックグラウンドモデルを初期化するステップと、
前記映像から独立して前記バックグラウンドモデルを符号化することにより、前記シーンのバックグランドを前記バックグラウンドモデルとして伝送するステップであり、前記バックグラウンドモデルが漸進的に更新され、前記更新が前記映像から独立してさらに符号化および伝送される、ステップと、
を含む、方法。
【請求項２】
前記シーンの映像は、複数の視野からのものであり、
前記映像から前記シーンの静的バックグラウンドを決定することにより、３次元バックグラウンドモデルが初期化される、請求項１に記載の方法。
【請求項３】
前記受信機が、ＶＲ／ＡＲ装置である、請求項２に記載の方法。
【請求項４】
前記ＶＲ／ＡＲ受信機の視方向から関心領域を自己学習するステップと、
前記関心領域の高解像度映像を伝送するステップであり、前記拡張映像が、前記関心領域の前記高解像度映像を前記バックグラウンドと統合することによって生成される、ステップと、
をさらに含む、請求項３に記載の方法。
【請求項５】
シーンの映像を伝送するシステムであって、
ｉ）外側符号化器および中心符号化器を備えた送信機であり、前記外側符号化器が、前記映像を受信するとともに、特徴映像、バックグラウンド、および形状ビットストリームを前記中心符号化器へと別個に出力するように構成され、前記中心符号化器が、符号化ビットストリームを出力するように構成された、送信機と、
ｉｉ）中心復号化器および外側復号化器を備えた受信機であり、前記中心復号化器が、前記符号化ビットストリームを受信するとともに、前記特徴映像、前記バックグラウンド、および形状ビットストリームを前記外側復号化器へと別個に出力するように構成され、前記外側復号化器が、前記特徴映像、前記バックグラウンド、および形状ビットストリームを統合することにより、前記シーンのエンハンス映像を出力するように構成された、受信機と、
を備えた、システム。
【請求項６】
前記シーンの映像は、複数の視野からのものであり、
前記外側符号化器が、前記映像を受信するとともに、前記特徴映像、３次元バックグラウンド、および形状ビットストリームを前記中心符号化器へと別個に出力するように構成され、
前記受信機が、ＶＲ／ＡＲ受信機である、請求項５に記載のシステム。
【請求項７】
前記外側符号化器が、バックグラウンド推定ユニットを備え、
前記バックグラウンド推定ユニットが、前記映像から前記シーンの静的バックグラウンドを決定することにより、３次元バックグラウンドモデルを初期化するとともに、前記映像のビットレートよりも低いビットレートで前記バックグラウンドモデルを漸進的に更新するように構成された、請求項６に記載のシステム。
【請求項８】
前記シーンを捕捉する映像源をさらに備えた、請求項６に記載のシステム。
【請求項９】
前記映像源が、視野が部分的に重なった１つまたは複数のカメラを備えた、請求項８に記載のシステム。
【請求項１０】
前記カメラが、移動カメラである、請求項９に記載のシステム。
【請求項１１】
前記シーンの移動および静止部を推定するようにさらに構成された、請求項１０に記載のシステム。
【請求項１２】
前記外側符号化器が、バックグラウンド推定ユニットを備え、
前記バックグラウンド推定ユニットが、前記シーンの前記静止部に基づいて、３次元バックグラウンドモデルを生成するとともに、前記映像のビットレートよりも低いビットレートで前記バックグラウンドモデルを漸進的に更新するように構成された、請求項１１に記載のシステム。
【請求項１３】
前記移動カメラが、パンチルトズーム（ＰＴＺ）カメラである、請求項１０に記載のシステム。
【請求項１４】
前記ＶＲ／ＡＲ受信機が、その視方向から関心領域を自己学習するように構成され、
前記１つまたは複数のＰＴＺカメラが、前記関心領域の高解像度映像を捕捉するように構成された、請求項１３に記載のシステム。
【請求項１５】
前記バックグラウンドを前記映像と統合することにより、受信機でエンハンス映像を生成するステップをさらに含む、請求項１に記載の方法。
【請求項１６】
前記バックグラウンドモデルが、前記映像のビットレートよりも低いビットレートで更新されて伝送される、請求項１５に記載の方法。
【請求項１７】
フレームごとに、前記バックグラウンドと前記映像との形状マッピングを伝送するステップをさらに含む、請求項１に記載の方法。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
細長い容器（１０）を含む水耕生育システムであって、前記細長い容器が、少なくとも、
第１の側壁（３４）、反対側の第２の側壁（３６）、および底壁（６０）であって、全てが前記容器の長手方向に延在して、上部が開いている前記容器の中央内の空間の範囲を定める、第１の側壁（３４）、反対側の第２の側壁（３６）、および底壁（６０）と、
前記容器の前記長手方向に延在し、かつ、前記中央の空間を隣接した２つの細長い溝に分割する、前記第１の側壁（３４）と前記第２の側壁（３６）との間に配置された仕切り壁構造（２０）であって、前記２つの細長い溝（１２，１４）の上部が開いており、前記２つの細長い溝のそれぞれに植物（７２）の栽培のための１つまたは複数の基体（７４、７６）が配置され得る、仕切り壁構造（２０）と、
を備え、
前記仕切り壁構造（２０）が、前記容器（１０）の前記長手方向に延在する細長い越流チャネル（２２）を含み、前記細長い越流チャネル（２２）が、前記容器内に供給された灌漑水を受け入れるように構成され、かつ、前記灌漑水を前記隣接した溝（１２，１４）を越えて前記容器に沿って前方に案内するように構成される、生育システム。
【請求項２】
前記越流チャネル（２２）が、前記容器の前記第１の端部（６６）において前記容器の前記第１の端部（６６）内に供給された灌漑水を受け入れるように構成され、かつ、灌漑水を前記隣接した溝（１２、１４）を越えて前記容器の前記反対側の第２の端部（７０）の方へ案内するように構成される、請求項１に記載の生育システム。
【請求項３】
前記越流チャネル（２２）が、その長さの全体にわたってまたはその長さのほぼ全体にわたって上部が閉じられている、請求項１または２に記載の生育システム。
【請求項４】
前記越流チャネル（２２）が、前記灌漑水が前記隣接した溝（１２、１４）に沿って前方に流される前記容器の前記底壁（６０）に対して高い位置に配置される、請求項１から３のいずれか一項に記載の生育システム。
【請求項５】
前記越流チャネル（２２）が底壁（５８）を備え、前記灌漑水が前記底壁上を前記越流チャネル（２２）に沿って流れることができ、前記底壁が、前記灌漑水が前記隣接した溝（１２、１４）に沿って前方に流れることができる前記容器の前記底壁（６０）よりも高い位置に配置される、請求項１から３のいずれか一項に記載の生育システム。
【請求項６】
前記仕切り壁構造（２０）が、２つ以上の開口部、間隙、または穴（７８）を備え、前記２つ以上の開口部、間隙、または穴が、
ａ）前記越流チャネルから前記開口部へ、および前記溝（１２、１４）から前記越流チャネル（２２）へ、灌漑水を運ぶように構成され、または、
ｂ）１つの溝（１２、１４）から別の溝（１２、１４）へ、またその反対に灌漑水を運ぶように構成され、または、
ａ）およびｂ）の両方の選択肢に従って灌漑水を運ぶように構成される、
請求項１から５のいずれか一項に記載の生育システム。
【請求項７】
前記容器（１０）の少なくとも一方の端部（６６、７０）において、前記第１の側壁（３４）および第２の側壁（３６）ならびに底壁（６０）が、前記仕切り壁構造（２０）よりも前記容器の前記長手方向にさらに延在する、請求項１から６のいずれか一項に記載の生育システム。
【請求項８】
前記容器（１０）の少なくとも一方の端部（６６）が、端壁（６２）によって閉じられる、請求項１から７のいずれか一項に記載の生育システム。
【請求項９】
前記溝（１２、１４）の少なくとも一方が、
前記生育基体（７４、７６）のための、前記溝（１２、１４）の上方部分内に配置される上方空間（３８、４０）と、
灌漑水のための、前記溝（１２、１４）の下方部分内に配置される下方空間（２４、２６）であって、１つまたは複数の穴またはスリット（２８、３０）を介して前記上方空間（３８、４０）に接続され、その中を前記灌漑水が前記溝（１２、１４）に沿って前方に流れることができる、下方空間と、
を含む、請求項１から８のいずれか一項に記載の生育システム。
【請求項１０】
前記上方空間（３８、４０）が、下に向かって先細になる断面を有しかつ前記穴またはスリット（２８、３０）を介して前記下方空間（２４、２６）に開いている形状を有する、請求項９に記載の生育システム。
【請求項１１】
前記下方空間（２４、２６）が、前記容器（１０）の前記長手方向に延在する灌漑チャネルを構成し、前記灌漑チャネルが、前記灌漑水を前記容器に沿って前方に運ぶように構成され、かつ、前記容器の前記横断方向において前記穴またはスリット（２８、３０）の幅よりも広い幅を有する、請求項９または１０に記載の生育システム。
【請求項１２】
前記穴またはスリット（２８、３０）が、細長いものであり、かつ、前記容器の前記長手方向に延在する、請求項９から１１のいずれか一項に記載の生育システム。
【請求項１３】
前記第１の側壁（３４）および第２の側壁（３６）が、前記底壁（６０）の下方に延在して、前記容器（１０）を支持する脚構造（４２、４４）を構成する、請求項１から１２のいずれか一項に記載の生育システム。
【請求項１４】
前記容器の少なくとも一方の端部（７０）が、前記容器から灌漑水を排出するために開いているか、または、
前記容器の少なくとも一方の端部（７０）において、前記第１の側壁（３４）および第２の側壁（３６）が、前記底壁（６０）よりも前記容器の前記長手方向にさらに延在するか、または、
前記容器の少なくとも一方の端部（７０）において、前記底壁（６０）が開口部を備える、
請求項１から１２のいずれか一項に記載の生育システム。
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
Gleasonスコア7未満又はD’Amicoリスクカテゴリー低リスク群の患者の前立腺癌の標本組織に抗ヒトLAT1モノクローナル抗体を投与する工程、この標本組織に免疫組織化学染色を行い、LAT1スコア及び／又は強度を決定する工程、及び前記スコア及び／又は強度に基づいて前記患者の前立腺癌が安定疾患であるか局所進行であるかを判定する工程を含む、前立腺癌の悪性度を決定するための方法。
【請求項２】
前記モノクローナル抗体がヒトLAT1のN末端から1〜52位のアミノ酸残基を特異的に認識する、請求項１に記載の方法。
【請求項３】
LAT1分子標的治療薬の適用によって前立腺癌の重症度を臨床的に区別するための方法であって、請求項１又は２に記載の方法に従って前立腺癌の悪性度を決定する工程、及び前記決定結果に基づいて前立腺癌の治療薬を投与するべきかどうかを決定する工程を含む、前記方法。
【請求項４】
抗ヒトLAT1モノクローナル抗体を含む、請求項１〜３のいずれか１項記載の方法に用いられるキット。
【請求項５】
前記モノクローナル抗体がヒトLAT1のN末端から1〜52位のアミノ酸残基を特異的に認識する、請求項４に記載のキット。
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
表面と、
該表面の上に配置される固化されたマトリックス材料の層と、
前記表面から離れて前記マトリックス材料の下位領域に配置される磁性粒子とを含む、
処理デバイス。
【請求項２】
磁性粒子を含む請求項１に記載の処理デバイスを製造する方法であって、
ａ）磁性粒子と、マトリックス材料と、揮発性担体とを含む液体混合物を、前記処理デバイスの表面の上に堆積させるステップと、
ｂ）前記液体混合物の前記磁性粒子を前記表面から前記液体混合物内の所望の場所に引き離すステップと、
ｃ）前記揮発性担体を除去することによって前記液体混合物を乾燥させるステップとを含む、
方法。
【請求項３】
前記液体混合物の前記磁性粒子は、前記ステップｂ）において、磁場によって引っ張られることを特徴とする、請求項２に記載の方法。
【請求項４】
前記磁場の非ゼロ勾配が、前記表面に対して実質的に垂直に向けられることを特徴とする、請求項３に記載の方法。
【請求項５】
前記表面は、標的物質に特異的に結合し得る結合部位で少なくとも局所的に被覆される反応表面であることを特徴とする、請求項２に記載の方法。
【請求項６】
前記表面は、前記堆積させるステップｃ）の前に結合点に結合するブロッキング物質で処理されることを特徴とする、請求項２に記載の方法。
【請求項７】
前記揮発性担体は、水性液体であることを特徴とする、請求項２に記載の方法。
【請求項８】
前記磁性粒子は、前記表面と実質的に平行に向けられる鎖を形成することを特徴とする、請求項１に記載の処理デバイス。
【請求項９】
前記磁性マトリックス材料は、スクロース、塩、緩衝成分、ブロッキング成分及びアッセイ試薬から成る群から選択される、少なくとも１つの材料を含むことを特徴とする、請求項２に記載の方法又は請求項１に記載の処理デバイス。
【請求項１０】
前記マトリックス材料は、水溶性であることを特徴とする、請求項２に記載の方法又は請求項１に記載の処理デバイス。
【請求項１１】
当該処理デバイスは、当該処理デバイスの反応表面に結合される磁性粒子の光学的検出を可能にする光学部品を含むことを特徴とする、請求項１に記載の処理デバイス。
【請求項１２】
前記磁性粒子は、当該処理デバイス内の流体の意図される流れに対して標的場所の上流に配置させられることを特徴とする、請求項２に記載の方法又は請求項１に記載の処理デバイス。
【請求項１３】
前記標的場所は、標的物質に特異的に結合し得る結合部位を含む、ことを特徴とする、請求項１２に記載の処理デバイス。
【請求項１４】
前記磁性粒子は、乾燥状態において格納され、前記磁性粒子の鎖に従って構成される、請求項１に記載の処理デバイス。
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
ハウジング軸線に沿って上部面と底部面との間に延在するハウジングであって、前記ハウジングは、前記上部面に配設されたポートを含み、前記ポートは、開口部を含む、ハウジングと、
前記ハウジング内に配設され、試料を受け入れるようになっている受け部であって、前記受け部は、光軸線に沿って延在する受け部本体を含み、前記受け部本体は、前記ハウジングの前記ポートの前記開口部に接続された第１の端部、及び第２の端部を含む、受け部と、
前記ハウジング内に前記光軸線に沿って配設され、前記受け部本体の前記第２の端部に隣接する入力面を含む検出器であって、前記入力面は、作用区域を含む、検出器と、
前記ハウジング内に、前記光軸線に沿って前記受け部本体の前記第２の端部と前記検出器の前記入力面との間に配設された反射体であって、前記受け部本体の前記第２の端部に隣接して配設された入力アパーチャ、前記検出器の前記入力面に隣接して配設された出力アパーチャ、及び前記入力アパーチャと前記出力アパーチャとの間に延在する反射面を含む反射体と、を備え、
前記反射体の前記出力アパーチャの断面積は、前記検出器の前記入力面の前記作用区域の表面以下である、光検出デバイス。
【請求項２】
前記反射体の前記反射面は、第１の曲率半径を有する第１の部分を含み、
前記反射体の前記反射面は、前記第１の曲率半径とは異なる第２の曲率半径を有する第２の部分を更に含み、
前記第１の曲率半径の中心及び前記第２の曲率半径の中心のそれぞれは、前記反射体の前記出力アパーチャにより画定される平面が、前記第１の曲率半径の前記中心及び前記第２の曲率半径の前記中心のうちの一方又は両方と、前記反射体の前記入力面との間にあるように、前記平面上又は前記平面の下方のいずれかに配置される、請求項１に記載のデバイス。
【請求項３】
前記反射体と前記検出器の前記入力面とは、光空洞を形成し、
前記受け部は、前記受け部本体の前記第２の端部に隣接する透過領域を更に含み、前記透過領域の少なくとも一部分は、前記光空洞内に配設され、
前記透過領域は、前記受け部本体の前記第２の端部に接続された透過カップを含む、請求項１又は２に記載のデバイス。
【請求項４】
前記光源の射出軸線は、前記検出器の前記入力面の前記作用区域の中心と交差する、請求項１に記載のデバイス。
【請求項５】
前記光源の前記射出軸線は、前記光軸線に対して平行ではない、請求項１に記載のデバイス。
【請求項６】
前記受け部は、前記検出器と前記受け部内に配設された試料との間に汚染障壁を提供するようになっている、請求項１〜５のいずれか一項に記載のデバイス。
【請求項７】
試料採取装置と、請求項１〜６のいずれか一項に記載の前記光検出デバイスと、を備える光検出システムであって、
前記試料採取装置は、
開口部、及び前記検出器に動作可能に結合されるようになっているキュベット部を備える容器と、
試料採取部を含む試料採取デバイスであって、前記試料採取部は、前記試料を取得し、解放可能に保持するようになっている、試料採取デバイスと、を備え、
前記受け部は、前記試料採取装置を受け入れるようになっている、光検出システム。
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
光検出デバイスであって、
上部面及び底部面を備えるハウジングであって、前記ハウジングは、ハウジング軸線に沿って前記上部面と前記底部面との間に延在する、ハウジングと、
前記ハウジングに接続され、閉位置と開位置との間で選択的に移動されるようになっている支持部材であって、前記支持部材は更に、前記底部面及び前記支持部材が作業面と接触すると共に前記支持部材が前記開位置にある時に、前記光検出デバイスを直立位置に維持するようになっており、前記ハウジング軸線は、前記底部面及び前記支持部材が前記作業面と接触すると共に前記支持部材が前記開位置にある時に、垂直軸線と少なくとも０度かつ４５度以下の角度をなす、支持部材と、を備える、光検出デバイス。
【請求項２】
前記底部面は、前記支持部材が前記閉位置にある時に前記支持部材を受け入れるようになっている凹部を備え、前記支持部材は、前記閉位置にある時に前記光検出デバイスの前記底部面と面一であり、前記ハウジングの前記底部面の前記凹部は、前記支持部材が前記閉位置にある時にスナップ嵌合関係で前記支持部材に係合するようになっている、請求項１に記載の光検出デバイス。
【請求項３】
前記支持部材は、ヒンジにより前記ハウジングに接続されており、前記ヒンジは、前記ハウジングの前記底部面に形成された第２の凹部に配設され、前記第２の凹部は、前記支持部材が前記開位置にある時に前記支持部材に係合するようになっているレッジを備える、請求項１〜２のいずれか一項に記載の光検出デバイス。
【請求項４】
光検出デバイスのハウジングに取り付けられた、前記光検出デバイスの支持部材を閉位置から開位置まで移動させるために、前記光検出デバイスの前記支持部材に係合することであって、前記ハウジングは、ハウジング軸線に沿って前記ハウジングの上部面と底部面との間に延在する、光検出デバイスの支持部材に係合することと、
作業面上に前記光検出デバイスを配置することであって、前記支持部材は、前記ハウジングの前記底部面及び前記支持部材が前記作業面と接触すると共に前記支持部材が前記開位置にある時に、前記光検出デバイスを直立位置に維持するようになっており、前記ハウジング軸線は、前記底部面及び前記支持部材が前記作業面と接触すると共に前記支持部材が前記開位置にある時に、垂直軸線と少なくとも０度かつ４５度以下の角度を形成する、光検出デバイスを配置することと、を含む、方法。
【請求項５】
光検出デバイスであって、
上部面及び底部面を備えるハウジングであって、前記ハウジングは、ハウジング軸線に沿って前記上部面と前記底部面との間に延在する、ハウジングと、
前記ハウジング内に配置され、前記ハウジング内に配置された試料が射出した光を検出するようになっている検出器と、
前記光検出デバイスの傾斜角を判定するようになっている傾斜検出構成要素であって、前記傾斜角は、前記ハウジング軸線と垂直軸線との間に形成される角度からなる、傾斜検出構成要素と、を備える、光検出デバイス。
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
プロセッサにより実行されたときに、前記プロセッサに、
診断の閲覧中に医療画像に対して実行されるユーザの行動を監視して、所定の行動パターンの検出を介してコンテキストを決定させ、
前記決定されたコンテキストに従って前記医療画像から及び／又は画像の閲覧設定から所定のデータを関連データとして抽出させ、
前記関連データを１つ以上のそれぞれの所定の骨格に挿入することにより、前記関連データを１つ以上の構造化された文章へと変換させ、
前記１つ以上の構造化された文章のうちの少なくとも１つを診断レポートへと挿入する選択肢をユーザに提供させ、
前記ユーザが前記少なくとも１つの構造化された文章を挿入することを選択した場合、前記構造化された文章を含むように前記診断レポートを修正させる
プログラムを含む、持続型コンピュータ読み取り可能媒体。
【請求項２】
前記プログラムは、前記プロセッサに、前記複数の構造化された文章のそれぞれをメモリに保存させ、前記行動が監視された時間とは異なる時間においてユーザが前記複数の構造化された文章を取得することを可能とさせる、請求項１に記載の媒体。
【請求項３】
前記プログラムは、前記プロセッサに、意味的オントロジーベースの照合処理を用いて、前記関連データを前記１つ以上の構造化された文章に変換させる、請求項１に記載の媒体。
【請求項４】
前記プログラムは、前記プロセッサに、所定の語彙を用いて、前記関連データを前記１つ以上の構造化された文章に変換させる、請求項１に記載の媒体。
【請求項５】
前記プログラムは、前記プロセッサに、前記医療画像の１つ以上において対象領域をユーザが示すことを可能とすることにより前記関連データを決定させる、請求項１に記載の媒体。
【請求項６】
前記プログラムは、前記プロセッサに、前記医療画像の１つ以上をユーザが選択することを可能とすることにより前記コンテキストを決定させる、請求項１に記載の媒体。
【請求項７】
前記プログラムは、前記プロセッサに、音声認識を用いて、前記１つ以上の構造化された文章を診断レポートへと挿入する選択肢をユーザが示すことを可能とさせる、請求項１に記載の媒体。
【請求項８】
前記プログラムは、前記プロセッサに、前記構造化された文章の生成から所定の時間の後に前記１つ以上の構造化された文章を選択する選択肢を消去させる、請求項１に記載の媒体。
【請求項９】
前記プログラムは、前記プロセッサに、ユーザが最初に患者の記録にアクセスしたときに前記関連データとして前記患者の識別情報を取得させ、新たに生成される診断レポートへの挿入のため第１の構造化された文章として前記患者識別情報を変換させる、請求項１に記載の媒体。
【請求項１０】
前記プログラムは、前記プロセッサに、診断シーケンスのモデルに基づいて次のコンテキストを予測させる、請求項１に記載の媒体。
【請求項１１】
患者に関連する医療画像の供給源と、
前記医療画像にアクセスする間のユーザの行動を監視する行動監視部と、
所定の行動パターンの検出を介して、前記ユーザの行動に基づいてコンテキストを決定するコンテキスト抽出部と、
前記決定されたコンテキストに従って前記医療画像から及び／又は画像の閲覧設定から所定のデータを関連データとして抽出するデータ抽出部と、
前記関連データを１つ以上のそれぞれの所定の骨格に挿入することにより、前記関連データを１つ以上の構造化された文章に変換する文章生成部と、
診断レポートへ含めるためユーザが前記１つ以上の構造化された文章のうちの少なくとも１つを選択することを可能とするユーザインタフェースと、
前記ユーザが挿入のため前記少なくとも１つの構造化された文章を選択した場合に、前記少なくとも１つの構造化された文章を前記診断レポートに挿入するエクスポート部と、
を有する、診断レポートシステム。
【請求項１２】
前記抽出部は、前記複数の構造化された文章のそれぞれをメモリに保存し、
前記ユーザインタフェースは、前記行動が監視された時間とは異なる時間においてユーザが前記複数の構造化された文章を取得することを可能とする、
請求項１１に記載のシステム。
【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
増幅器を有する接地低ドロップアウトレギュレータを備えるデジタル-アナログ変換器(DAC)中のスパーを減衰させる方法であって、
前記増幅器の負の入力に基準電圧を注入するステップと、
前記接地低ドロップアウトレギュレータの出力を測定するステップと、
前記接地低ドロップアウトレギュレータの出力を前記基準電圧と比較するステップと、
前記増幅器の出力を調整するステップと
を含み、
出力比較が、前記基準電圧の方が前記接地低ドロップアウトレギュレータの出力よりも高いことを示している場合、前記方法が前記増幅器の出力を接地に調整するステップを含み、
出力比較が、前記基準電圧の方が前記接地低ドロップアウトレギュレータの出力よりも低いことを示している場合、前記方法が前記基準電圧と一致するように前記増幅器の出力を調整するステップを含む、方法。
【請求項２】
前記増幅器の出力を調整するステップが、
パストランジスタを特定の導通状態にバイアスするステップと、
雑音性接地信号をバイアスされた前記パストランジスタへ向けて経路指定するステップと、
雑音性信号の一部に対して、バイアスされた前記パストランジスタの導電率を変化させるステップと
を含む、請求項1に記載の方法。
【請求項３】
前記増幅器の出力を調整するステップが、
パストランジスタを特定の導通状態にバイアスするステップと、
雑音性接地信号をバイアスされた前記パストランジスタへ向けて経路指定するステップと、
雑音性信号の一部に対して、バイアスされた前記パストランジスタの導電率を変化させるステップと
を含む、請求項1に記載の方法。
【請求項４】
導電率が変更される前記雑音性接地信号の前記一部が前記雑音性信号の交流(AC)部分である、請求項2に記載の方法。
【請求項５】
導電率が変更される前記雑音性接地信号の前記一部が前記雑音性接地信号の交流(AC)部分である、請求項4に記載の方法。
【請求項６】
送信デジタル-アナログ変換器(DAC)スパー減衰のための装置であって、
接地低ドロップアウトレギュレータ(GND LDO)を備え、前記GND LDOが、
基準電圧に接続された負の入力と、前記GND LDOの出力に接続された正の入力とを有する増幅器と、
前記増幅器の前記出力に接続されるゲート、電源(Vdda)に接続されるドレイン、および第1のトランジスタの前記ゲートに接続されるソースを有する第1のトランジスタであって、前記ソースが第2のトランジスタのゲートおよび第3のトランジスタのドレインにさらに接続される、第1のトランジスタと、
前記GND LDOの出力に接続されるドレインと、ノイズグランドおよび第3のトランジスタのソースに接続されるソースとを有する第2のトランジスタと、
第4のトランジスタのゲートに接続されるゲートを有する第3のトランジスタと、
前記ゲートと、定電流源に接続されるドレインと、アースグランドに接続されるソースとを有する第4のトランジスタと
を備える装置。
【請求項７】
前記第1、第2、第3および第4のトランジスタが金属酸化膜シリコン電界効果トランジスタ(MOSFET)である、請求項6に記載の装置。
【請求項８】
前記増幅器が反転増幅器である、請求項6に記載の装置。
【請求項９】
前記GND LDOが前記第4のトランジスタに接続される、請求項6に記載の装置。
【請求項１０】
前記第4のトランジスタがさらに雑音性接地に接続される、請求項9に記載の装置。
【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
１つ以上の狭帯域色素を含む光学フィルタであって、前記フィルタの視感透過率が４０％から８０％の間であり、前記フィルタの赤色−緑色分離係数が１．０よりも大きく、前記光学フィルタの前記視感透過率は、ＣＩＥ  １９３２  ２度標準観測者によるＣＩＥ標準発光体Ｄ６５の重み付き明順応透過率として定義される、ことを特徴とする光学フィルタ。
【請求項２】
前記フィルタの前記赤色−緑色分離係数は１．２５よりも大きい、請求項１に記載の光学フィルタ。
【請求項３】
前記フィルタの前記赤色−緑色分離係数は１．５よりも大きい、請求項１に記載の光学フィルタ。
【請求項４】
前記フィルタの前記視感透過率は５０％よりも大きい、請求項１に記載の光学フィルタ。
【請求項５】
前記フィルタの前記視感透過率は５０％よりも大きく、前記フィルタの前記赤色−緑色分離係数は１．２５よりも大きい、請求項１に記載の光学フィルタ。
【請求項６】
前記フィルタの前記視感透過率は５０％よりも大きく、前記フィルタの前記赤色−緑色分離係数は１．５よりも大きい、請求項１に記載の光学フィルタ。
【請求項７】
前記フィルタの前記視感透過率は６０％よりも大きい、請求項１に記載の光学フィルタ。
【請求項８】
前記フィルタの前記視感透過率は６０％よりも大きく、前記フィルタの前記赤色−緑色分離係数は１．２５よりも大きい、請求項１に記載の光学フィルタ。
【請求項９】
前記フィルタの前記視感透過率は６０％よりも大きく、前記フィルタの前記赤色−緑色分離係数は１．５よりも大きい、請求項１に記載の光学フィルタ。
【請求項１０】
前記フィルタの色が青色である、請求項１〜９の何れかに記載の光学フィルタ。
【請求項１１】
前記フィルタの色が青緑色である、請求項１〜９の何れかに記載の光学フィルタ。
【請求項１２】
前記フィルタの色が桃色である、請求項１〜９の何れかに記載の光学フィルタ。
【請求項１３】
前記フィルタの色が紫色である、請求項１〜９の何れかに記載の光学フィルタ。
【請求項１４】
フィルタ色は朱色である、請求項１〜９の何れかに記載の光学フィルタ。
【請求項１５】
請求項１〜１４の何れかに記載の光学フィルタを備え、前記光学フィルタは、２つ以上の狭帯域色素を含み、少なくとも１０度の視野にフィルタをかける、ことを特徴とする眼科用眼鏡レンズ。
【請求項１６】
請求項１〜１４の何れかに記載の光学フィルタを備え、前記光学フィルタは１つの狭帯域色素のみを含む、ことを特徴とする眼科用コンタクトレンズ。
【請求項１７】
請求項１〜１４の何れかに記載の光学フィルタを備え、前記光学フィルタは、ピーク吸収波長が約５９５ナノメートルである１つの狭帯域色素のみを含む、ことを特徴とする眼科用コンタクトレンズ。
【請求項１８】
請求項１〜１４の何れかに記載の光学フィルタを備え、前記光学フィルタは、ピーク吸収波長が約５７５ナノメートルである１つの狭帯域色素のみを含む、ことを特徴とする眼科用コンタクトレンズ。
【請求項１９】
個人の色覚欠失を調整するためにレンズを処方する方法であって、
前記個人が緑色弱であるかどうかを検査する工程と、
前記個人が赤色弱であるかどうかを検査する工程と、
前記個人が緑色弱であれば、請求項１〜１４の何れかに記載の光学フィルタを備え、前記フィルタの５７５ナノメートルにおける透過率が、５９５ナノメートルにおける前記透過率の少なくとも２倍よりも大きい眼科用レンズを処方する工程、及び／又は
前記個人が赤色弱であれば、請求項１〜１４の何れかに記載の光学フィルタを備え、前記フィルタの５９５ナノメートルにおける前記透過率は、５７５ナノメートルにおける前記透過率の少なくとも２倍よりも大きい眼科用レンズを処方する工程と、を備えることを特徴とする方法。
【請求項２０】
請求項１から１４の何れかに記載の光学フィルタを備え、前記光学フィルタは１つの狭帯域色素のみを含む、ことを特徴とする光源組立体。
【請求項２１】
請求項１から１４の何れかに記載の光学フィルタを備え、前記光学フィルタは２つ以上の狭帯域色素を含む、ことを特徴とする光源組立体。
【請求項２２】
１つ以上の狭帯域色素を含む光学フィルタであって、ＣＩＥ  １９３２  ２度標準観察者によるＣＩＥ標準光源Ｄ６５の重み付き明順応透過率として定義される前記フィルタの視感透過率が７０％よりも大きく、前記フィルタの赤色−緑色分離係数が０．２５よりも大きく、ＨＥＶ減衰係数が約５．０よりも大きい、ことを特徴とする光学フィルタ。
【請求項２３】
前記フィルタの前記視感透過率が８０％よりも大きい、請求項２２に記載の光学フィルタ。
【請求項２４】
前記フィルタの白色点の（ｘ、ｙ）座標が、標準発光体Ｄ６５、前記ＣＩＥ１９３２  ２度標準観察者、及びＣＩＥ  Ｙｘｙ色度座標系に関して（．３１、．３３）の０．０５単位内にある、請求項２２〜２３の何れかに記載の光学フィルタ。
【請求項２５】
前記フィルタの前記白色点の前記（ｘ、ｙ）座標は、前記標準発光体Ｄ６５、前記ＣＩＥ１９３２  ２度標準観察者、及び前記ＣＩＥ  Ｙｘｙ色度座標系に関して（．３１、．３３）の０．０２５単位内にある、請求項２２から２３の何れかに記載の光学フィルタ。
【請求項２６】
１つ以上の狭帯域色素と、少なくとも１つの青色吸収性標準色素とを含む光学フィルタであって、ＣＩＥ  １９３２  ２度標準観察者によるＣＩＥ標準発光体Ｄ６５の重み付き明順応透過率として定義される前記フィルタの視感透過率が４０％よりも小さく、前記フィルタの赤色−緑色分離係数が０．２５よりも大きく、ＨＥＶ減衰係数が少なくとも約４０である、ことを特徴とする光学フィルタ。
【請求項２７】
請求項２２〜２６の何れかに記載の光学フィルタを備える、ことを特徴とする眼科用眼鏡レンズ。
【請求項２８】
直線偏光子を含む、請求項２７に記載の眼科用眼鏡レンズ。
【請求項２９】
光発色性色素を含む、請求項２７に記載の眼科用眼鏡レンズ。
【請求項３０】
請求項２２〜２５の何れかに記載の光学フィルタを備える、ことを特徴とする眼科用コンタクトレンズ。
【請求項３１】
請求項２２〜２５の何れかに記載の光学フィルタを備える、ことを特徴とする眼科用眼球内レンズ。